(57)【特許請求の範囲】
【請求項１】
特定セルを形成するホーム基地局と、
前記特定セルへのユーザ端末のハンドオーバ手順において前記特定セルへのアクセス権について前記ユーザ端末の認証を行う移動管理装置と、
を含む移動通信システムに適用される通信制御方法であって、
前記ハンドオーバ手順において前記ユーザ端末が前記特定セルとの接続を確立した後、前記認証が失敗した場合に、前記認証が失敗したことを示す認証失敗情報を前記移動管理装置から前記ホーム基地局に送信するステップＡと、
前記ホーム基地局が、前記移動管理装置からの前記認証失敗情報の受信に応じて、前記接続を維持しつつ、前記特定セルから他のセルへの前記ユーザ端末の再ハンドオーバ手順を開始するステップＢと、
を有することを特徴とする通信制御方法。
【請求項２】
前記ステップＡは、前記ホーム基地局からの経路切替要求に基づいて、前記経路切替要求に対する否定応答を前記認証失敗情報と共に前記移動管理装置から前記ホーム基地局に送信するステップＡ１を含み、
前記移動管理装置は、前記否定応答の送信に応じて、前記ユーザ端末をデタッチするように構成されており、
前記ステップＢは、前記ユーザ端末のデタッチを保留するように前記ホーム基地局から前記移動管理装置に要求するステップＢ１を含むことを特徴とする請求項１に記載の通信制御方法。
【請求項３】
前記ハンドオーバ手順におけるソースセルを形成する基地局が、前記ユーザ端末からの測定報告の少なくとも一部である測定情報を前記ホーム基地局に転送するステップＣと、
前記ホーム基地局が、前記基地局からの前記測定情報に基づいて、前記他のセルを決定するステップＤと、
をさらに有することを特徴とする請求項１に記載の通信制御方法。
【請求項４】
前記ステップＣにおいて、前記基地局は、前記ハンドオーバ手順におけるデータフォワーディング又はハンドオーバ要求の際に、前記測定情報を前記ホーム基地局に転送することを特徴とする請求項３に記載の通信制御方法。
【請求項５】
前記ステップＣにおいて、前記基地局は、前記特定セルがクローズド・アクセスモードである場合に、前記測定情報を前記ホーム基地局に転送することを特徴とする請求項３に記載の通信制御方法。
【請求項６】
前記ステップＣにおいて、前記基地局は、前記ハンドオーバ手順において前記認証が省略される場合に、前記測定情報を前記ホーム基地局に転送することを特徴とする請求項３に記載の通信制御方法。
【請求項７】
前記測定情報の転送要求を前記ホーム基地局から前記基地局に送信するステップＥを含み、
前記ステップＣにおいて、前記基地局は、前記転送要求に応じて前記測定情報を前記ホーム基地局に転送することを特徴とする請求項３に記載の通信制御方法。
【請求項８】
前記ホーム基地局が、前記移動管理装置からの前記認証失敗情報の受信に応じて、測定報告の送信要求を前記ユーザ端末に送信するステップＦと、
前記ホーム基地局が、前記ユーザ端末からの前記測定報告に基づいて前記他のセルを決定するステップＧと、
をさらに有することを特徴とする請求項１に記載の通信制御方法。
【請求項９】
特定セルを形成するホーム基地局を含む移動通信システムにおいて、前記特定セルへのユーザ端末のハンドオーバ手順において前記特定セルへのアクセス権について前記ユーザ端末の認証を行う移動管理装置であって、
前記ハンドオーバ手順において前記ユーザ端末が前記特定セルとの接続を確立した後、前記認証が失敗した場合に、前記認証が失敗したことを示す認証失敗情報を、前記ホーム基地局からの経路切替要求に対する否定応答と共に、前記ホーム基地局に送信する送信部と、
前記否定応答の送信に応じて、前記ユーザ端末をデタッチする制御を行う制御部と、
前記ユーザ端末のデタッチの保留要求を前記ホーム基地局から受信する受信部と、を有し、
前記制御部は、前記受信部が前記保留要求を受信したことに応じて、前記ユーザ端末のデタッチを保留することを特徴とする移動管理装置。
【請求項１０】
特定セルへのユーザ端末のハンドオーバ手順において前記特定セルへのアクセス権について前記ユーザ端末の認証を行う移動管理装置を含む移動通信システムにおいて、前記特定セルを形成するホーム基地局であって、
前記ハンドオーバ手順において前記ユーザ端末が前記特定セルとの接続を確立した後、前記認証が失敗した場合に、前記認証が失敗したことを示す認証失敗情報を前記移動管理装置から受信する受信部と、
前記移動管理装置からの前記認証失敗情報の受信に応じて、前記接続を維持しつつ、前記特定セルから他のセルへの前記ユーザ端末の再ハンドオーバ手順を開始する制御を行う制御部と、
を有することを特徴とするホーム基地局。
【発明の詳細な説明】
【技術分野】
【０００１】
本発明は、移動通信システムにおける通信制御方法、移動管理装置、ホーム基地局、及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、住居や会社に設けられる小型基地局であるホーム基地局の仕様が策定されている（非特許文献１参照）。【０００３】
ホーム基地局は、ＣＳＧ（Ｃｌｏｓｅｄ  Ｓｕｂｓｃｒｉｂｅｒ  Ｇｒｏｕｐ）セル又はハイブリッドセルなどの特定セルを形成する。ＣＳＧセルは、アクセス権を有するユーザ端末（「ＣＳＧメンバー」と称される）のみがアクセス可能なセルである。ハイブリッドセルは、ＣＳＧメンバーでなくてもアクセス可能であるが、ＣＳＧメンバーが有利に取り扱われるセルである。【０００４】
なお、「セル」は、無線通信エリアの最小単位を示す用語として使用される他に、ユーザ端末との無線通信を行う機能を示す用語としても使用されることに留意すべきである。【０００５】
特定セルへのユーザ端末のハンドオーバ手順においては、コアネットワークに含まれる移動管理装置が、特定セルへのアクセス権についてユーザ端末の認証（アクセス制御）を行う。
【先行技術文献】
【非特許文献】
【０００６】
【非特許文献１】３ＧＰＰ技術仕様  「ＴＳ  ３６．３００  Ｖ１１．０．０」  ２０１１年１２月
【発明の概要】
【０００７】
ところで、状況によっては、ユーザ端末がアクセス権のない特定セルへ誤ってハンドオーバするケースが想定される。
【０００８】
しかしながら、現状の仕様には、そのような特殊なケースが考慮されていないという問題がある。
【０００９】
そこで、本発明は、ユーザ端末がアクセス権のない特定セルへ誤ってハンドオーバするケースに適切に対処できる通信制御方法、移動管理装置、ホーム基地局、及び基地局を提供することを目的とする。
【００１０】
本発明の通信制御方法は、特定セルを形成するホーム基地局と、前記特定セルへのユーザ端末のハンドオーバ手順において前記特定セルへのアクセス権について前記ユーザ端末の認証を行う移動管理装置と、を含む移動通信システムに適用される通信制御方法であって、前記ハンドオーバ手順において前記ユーザ端末が前記特定セルとの接続を確立した後、前記認証が失敗した場合に、前記認証が失敗したことを示す認証失敗情報を前記移動管理装置から前記ホーム基地局に送信するステップＡと、前記ホーム基地局が、前記移動管理装置からの前記認証失敗情報の受信に応じて、前記接続を維持しつつ、前記特定セルから他のセルへの前記ユーザ端末の再ハンドオーバ手順を開始するステップＢと、を有することを特徴とする。
【図面の簡単な説明】
【００１１】
【図１】図１は、移動通信システムの構成図である。
【図２】図２は、無線インターフェイスのプロトコルスタック図である。
【図３】図３は、無線フレームの構成図である。
【図４】図４は、ＵＥのブロック図である。
【図５】図５は、ｅＮＢのブロック図である。
【図６】図６は、ＭＭＥのブロック図である。
【図７】図７は、ＨｅＮＢのブロック図である。
【図８】図８は、ＨｅＮＢ ＧＷのブロック図である。
【図９】図９は、ＣＳＧセルへのハンドオーバが誤って成功するケース１のシーケンス図である。
【図１０】図１０は、ＣＳＧセルへのハンドオーバが誤って成功するケース２のシーケンス図である。
【図１１】図１１は、ＣＳＧセルへのハンドオーバが誤って成功するケース３のシーケンス図である。
【図１２】図１２は、実施形態に係る動作パターン１のシーケンス図である。
【図１３】図１３は、実施形態に係る動作パターン２のシーケンス図である。
【図１４】図１４は、実施形態に係る動作パターン３のシーケンス図である。
【図１５】図１５は、測定報告の転送判定処理のフロー図である。
【図１６】図１６は、測定報告の取得法判定処理のフロー図である。
【図１７】図１７は、ターゲットセルの決定処理のフロー図である。
【発明を実施するための形態】
【００１２】
［実施形態の概要］
実施形態に係る通信制御方法は、特定セルを形成するホーム基地局と、前記特定セルへのユーザ端末のハンドオーバ手順において前記特定セルへのアクセス権について前記ユーザ端末の認証を行う移動管理装置と、を含む移動通信システムに適用される。前記通信制御方法は、前記ハンドオーバ手順において前記ユーザ端末が前記特定セルとの接続を確立した後、前記認証が失敗した場合に、前記認証が失敗したことを示す認証失敗情報を前記移動管理装置から前記ホーム基地局に送信するステップＡと、前記ホーム基地局が、前記移動管理装置からの前記認証失敗情報の受信に応じて、前記接続を維持しつつ、前記特定セルから他のセルへの前記ユーザ端末の再ハンドオーバ手順を開始するステップＢと、を有する。
【００１３】
これにより、ユーザ端末がハンドオーバ手順においてアクセス権のない特定セルとの接続を確立した場合（すなわち、誤ってハンドオーバが成功した場合）であっても、当該接続を維持しつつ、当該特定セルから他のセルへのユーザ端末の再ハンドオーバ手順を開始することによって、ユーザ端末において通信断が生じることを防止できる。
【００１４】
本実施形態において、前記ステップＡは、前記ホーム基地局からの経路切替要求に基づいて、前記経路切替要求に対する否定応答を前記移動管理装置から前記ホーム基地局に送信するステップＡ１を含み、前記ステップＡ１において、前記移動管理装置は、前記認証失敗情報を前記否定応答と共に送信してもよい。
【００１５】
本実施形態において、前記通信制御方法は、前記ハンドオーバ手順におけるソースセルを形成する基地局が、前記ユーザ端末からの測定報告の少なくとも一部である測定情報を前記ホーム基地局に転送するステップＣと、前記ホーム基地局が、前記基地局からの前記測定情報に基づいて、前記他のセルを決定するステップＤと、をさらに有してもよい。
【００１６】
本実施形態において、前記ステップＣにおいて、前記基地局は、前記ハンドオーバ手順におけるデータフォワーディング又はハンドオーバ要求の際に、前記測定情報を前記ホーム基地局に転送してもよい。
【００１７】
本実施形態において、前記ステップＣにおいて、前記基地局は、前記特定セルがクローズド・アクセスモードである場合に、前記測定情報を前記ホーム基地局に転送してもよい。
【００１８】
本実施形態において、前記ステップＣにおいて、前記基地局は、前記ハンドオーバ手順において前記認証が省略される場合に、前記測定情報を前記ホーム基地局に転送してもよい。
【００１９】
本実施形態において、前記通信制御方法は、前記測定情報の転送要求を前記ホーム基地局から前記基地局に送信するステップＥを含み、前記ステップＣにおいて、前記基地局は、前記転送要求に応じて前記測定情報を前記ホーム基地局に転送してもよい。
【００２０】
本実施形態において、前記通信制御方法は、前記ホーム基地局が、前記移動管理装置からの前記認証失敗情報の受信に応じて、測定報告の送信要求を前記ユーザ端末に送信するステップＦと、前記ホーム基地局が、前記ユーザ端末からの前記測定報告に基づいて前記他のセルを決定するステップＧと、をさらに有してもよい。
【００２１】
本実施形態に係る移動管理装置は、特定セルを形成するホーム基地局を含む移動通信システムにおいて、前記特定セルへのユーザ端末のハンドオーバ手順において前記特定セルへのアクセス権について前記ユーザ端末の認証を行う移動管理装置であって、前記ハンドオーバ手順において前記ユーザ端末が前記特定セルとの接続を確立した後、前記認証が失敗した場合に、前記認証が失敗したことを示す認証失敗情報を、前記ホーム基地局からの経路切替要求に対する否定応答と共に、前記ホーム基地局に送信する送信部と、前記否定応答の送信に応じて、前記ユーザ端末をデタッチする制御を行う制御部と、前記ユーザ端末のデタッチの保留要求を前記ホーム基地局から受信する受信部と、を有し、前記制御部は、前記受信部が前記保留要求を受信したことに応じて、前記ユーザ端末のデタッチを保留することを特徴とする。
【００２２】
本実施形態に係るホーム基地局は、特定セルへのユーザ端末のハンドオーバ手順において前記特定セルへのアクセス権について前記ユーザ端末の認証を行う移動管理装置を含む移動通信システムにおいて、前記特定セルを形成するホーム基地局であって、前記ハンドオーバ手順において前記ユーザ端末が前記特定セルとの接続を確立した後、前記認証が失敗した場合に、前記認証が失敗したことを示す認証失敗情報を前記移動管理装置から受信する受信部と、前記移動管理装置からの前記認証失敗情報の受信に応じて、前記接続を維持しつつ、前記特定セルから他のセルへの前記ユーザ端末の再ハンドオーバ手順を開始する制御を行う制御部と、を有することを特徴とする。
【００２３】
本実施形態に係る基地局は、特定セルを形成するホーム基地局と、前記特定セルへのユーザ端末のハンドオーバ手順において前記特定セルへのアクセス権について前記ユーザ端末の認証を行う移動管理装置と、を含む移動通信システムにおいて、前記ハンドオーバ手順におけるソースセルを形成する基地局であって、前記ハンドオーバ手順の際に、又は前記ホーム基地局からの転送要求を受けた際に、前記ユーザ端末からの測定報告の少なくとも一部である測定情報を前記ホーム基地局に転送する制御を行う制御部を有することを特徴とする。
【００２４】
［実施形態］
本実施形態においては、リリース１０以降の３ＧＰＰ規格（すなわち、ＬＴＥ  Ａｄｖａｎｃｅｄ）に基づいて構成される移動通信システムを例に説明する。
【００２５】
以下において、（１）移動通信システムの概要、（２）ブロック構成、（３）動作、（４）実施形態のまとめの順に説明する。以下の実施形態に係る図面において、同一又は類似の部分には同一又は類似の符号を付す。
【００２６】
（１）移動通信システムの概要
図１は、本実施形態に係る移動通信システムの構成図である。図１に示すように、移動通信システムは、ユーザ端末（ＵＥ：Ｕｓｅｒ  Ｅｑｕｉｐｍｅｎｔ）１００と、基地局（ｅＮＢ：ｅｖｏｌｖｅｄ  Ｎｏｄｅ−Ｂ）２００と、移動管理装置（ＭＭＥ：Ｍｏｂｉｌｉｔｙ  Ｍａｎａｇｅｍｅｎｔ  Ｅｎｔｉｔｙ）３００と、ホーム基地局（ＨｅＮＢ：Ｈｏｍｅ  ｅｖｏｌｖｅｄ  Ｎｏｄｅ−Ｂ）４００と、ゲートウェイ装置（ＨｅＮＢ ＧＷ：Ｈｏｍｅ  ｅｖｏｌｖｅｄ  Ｎｏｄｅ−Ｂ  Ｇａｔｅｗａｙ）５００と、を有する。
【００２７】
ｅＮＢ２００、ＨｅＮＢ４００、及びＨｅＮＢ ＧＷ５００のそれぞれは、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０に含まれるネットワーク装置である。ＭＭＥ３００は、コアネットワーク（ＥＰＣ：Ｅｖｏｌｖｅｄ  Ｐａｃｋｅｔ  Ｃｏｒｅ）２０に含まれるネットワーク装置である。
【００２８】
ＵＥ１００は、ユーザが所持する移動型無線通信装置である。ＵＥ１００は、通信中の状態に相当するＲＲＣ接続状態において、ＲＲＣ接続を確立したセル（「サービングセル」と称される）との無線通信を行う。
【００２９】
ＵＥ１００がユーザの移動に伴って移動する場合、ＵＥ１００のサービングセルの変更が必要になる。ＵＥ１００がＲＲＣ接続状態においてサービングセルを変更する動作は、「ハンドオーバ」と称される。ハンドオーバに係る一連の手順は、「ハンドオーバ手順」と称される。ハンドオーバ手順は、ハンドオーバ準備段階（Ｈ．Ｏ．  Ｐｒｅｐａｒａｔｉｏｎ）と、ハンドオーバ実行段階（Ｈ．Ｏ．  Ｅｘｅｃｕｔｉｏｎ）と、ハンドオーバ完了段階（Ｈ．Ｏ．  Ｃｏｍｐｌｅｔｉｏｎ）と、を含む。
【００３０】
本実施形態では、ｅＮＢ２００のセルをサービングセルとするＵＥ１００は、ＨｅＮＢ４００のセルへ向けて移動しており、ｅＮＢ２００のセルからＨｅＮＢ４００のセルへのハンドオーバを行う。この場合、ハンドオーバ手順においてｅＮＢ２００のセルは「ソースセル」であり、ＨｅＮＢ４００のセルは「ターゲットセル」である。
【００３１】
ｅＮＢ２００は、マクロ基地局（ＭｅＮＢ）、ピコ基地局（ＰｅＮＢ）、又はホーム基地局（ＨｅＮＢ）である。本実施形態では、ｅＮＢ２００がＭｅＮＢである一例を想定して説明を進める。ｅＮＢ２００は、１又は複数のセルを形成する。ｅＮＢ２００は、ＵＥ１００との無線通信を行う。
【００３２】
ｅＮＢ２００は、自身のセル配下のＵＥ１００について、ハンドオーバの決定権を有する。詳細には、ｅＮＢ２００は、ＵＥ１００からの測定報告（Ｍｅａｓｕｒｅｍｅｎｔ  Ｒｅｐｏｒｔ）に基づいて、ＨｅＮＢ４００のセルへのＵＥ１００のハンドオーバを行うか否かを判断することができる。
【００３３】
ｅＮＢ２００は、ＥＰＣ２０との間の論理的な通信路であるＳ１インターフェイス上でＥＰＣ２０との通信を行う。詳細には、ｅＮＢ２００は、Ｓ１インターフェイスの一種であるＳ１−ＭＭＥインターフェイス上でＭＭＥ３００との通信を行う。さらに、ｅＮＢ２００は、隣接するＨｅＮＢ４００との間の論理的な通信路であるＸ２インターフェイス上で、当該隣接するＨｅＮＢ４００との基地局間通信を行うことができる。
【００３４】
ＭＭＥ３００は、制御情報を取り扱う制御プレーンに対応して設けられており、ＵＥ１００に対する各種モビリティ管理や認証処理などを行う。ＭＭＥ３００は、ＣＳＧセルへのアクセス権についてＵＥ１００の認証（以下、「ＣＳＧ認証」と称する）を行う。
【００３５】
ＣＳＧセルへの一般的なハンドオーバ手順は、Ｓ１インターフェイスを使用する。詳細には、ＭＭＥ３００は、ＵＥ１００のＣＳＧ認証、詳細にはＵＥ１００が当該ＣＳＧセルのメンバーであるか否かの確認を行う。ＵＥ１００が当該ＣＳＧセルのメンバーであることが確認された場合（すなわち、ＣＳＧ認証成功の場合）、当該ＣＳＧセルへのＵＥ１００のハンドオーバが可能になる。これに対し、ＵＥ１００が当該ＣＳＧセルのメンバーであることが確認されない場合（すなわち、ＣＳＧ認証失敗の場合）、当該ＣＳＧセルへのＵＥ１００のハンドオーバは拒否される。
【００３６】
ＨｅＮＢ４００は、屋内に設置可能な小規模な固定型無線通信装置である。ＨｅＮＢ４００は、セルよりもカバー範囲が狭い特定セルを形成する。特定セルは、設定されるアクセスモードに応じて、ＣＳＧセル（クローズド・モード）、ハイブリッドセル（ハイブリッド・モード）、又はオープンセル（オープン・モード）と称される。
【００３７】
ＣＳＧセルは、アクセス権を有するＵＥ１００（「メンバー」と称される）のみがアクセス可能なセルであり、ＣＳＧ  ＩＤをブロードキャストする。ＵＥ１００は、自身がアクセス権を有するＣＳＧセルのＣＳＧ  ＩＤのリスト（「ホワイトリスト」と称される）を保持しており、当該ホワイトリストと、ＣＳＧセルがブロードキャストするＣＳＧ  ＩＤと、に基づいて、アクセス権の有無を判断する。
【００３８】
ハイブリッドセルは、メンバーが非メンバーよりも有利に取り扱われるセルであり、ＣＳＧ  ＩＤに加えて、非メンバーにも解放されたセルであることを示す情報（ＣＳＧ  Ｉｎｄｉｃａｔｉｏｎ）をブロードキャストする。ＵＥ１００は、ホワイトリストと、ハイブリッドセルがブロードキャストするＣＳＧ  ＩＤと、に基づいて、アクセス権の有無を判断する。
【００３９】
このように、ＵＥ１００は、ホワイトリストに基づいてアクセス権の有無を確認するものの、ＵＥ１００が管理しているホワイトリスト及びＭＭＥ３００が管理しているＣＳＧ加入者情報（ＣＳＧ  Ｓｕｂｓｃｒｉｐｔｉｏｎ  Ｄａｔａ）は、常に同期しているとは限らない。このため、基本的には、ＣＳＧセル又はハイブリッドセルへのＵＥ１００のハンドオーバ手順において、ＭＭＥ３００によるＵＥ１００のＣＳＧ認証が必要とされる。
【００４０】
オープンセルは、メンバーであるか否かを問わずＵＥ１００が同等に取り扱われるセルであり、ＣＳＧ  ＩＤをブロードキャストしない。ＵＥ１００の視点では、オープンセルは通常のセルと同等である。
【００４１】
以下においては、ＨｅＮＢ４００のセル（特定セル）がＣＳＧセルであるケースを想定して説明を進める。
【００４２】
ＨｅＮＢ４００は、Ｓ１インターフェイス（Ｓ１−ＭＭＥインターフェイス）上で、ＨｅＮＢ ＧＷ５００を介してＭＭＥ３００との通信を行う。ただし、ＨｅＮＢ４００は、ＨｅＮＢ ＧＷ５００を経由しないＳ１インターフェイスがＭＭＥ３００との間に確立されている場合には、ＨｅＮＢ ＧＷ５００を介さずにＭＭＥ３００と直接的に通信を行うこともできる。ＨｅＮＢ４００は、Ｘ２インターフェイスによりｅＮＢ２００と接続（Ｘ２接続）されている。
【００４３】
ＨｅＮＢ ＧＷ５００は、ＥＰＣ２０（ＭＭＥ３００）と複数のＨｅＮＢ４００との間で当該複数のＨｅＮＢ４００の集合を管理する。ＭＭＥ３００の視点では、ＨｅＮＢ ＧＷ５００はＨｅＮＢ４００と同等である。これに対し、ＨｅＮＢ４００の視点では、ＨｅＮＢ ＧＷ５００はＭＭＥ３００と同等である。ＨｅＮＢ ＧＷ５００は、複数のＨｅＮＢ４００を代表してＭＭＥ３００との通信を行うことで、ＭＭＥ３００と送受信すべきトラフィックを削減する。また、ＨｅＮＢ ＧＷ５００は、自身の管理下にある一のＨｅＮＢ４００から他のＨｅＮＢ４００へのデータを中継することもできる。
【００４４】
図２は、本実施形態に係る移動通信システム（ＬＴＥシステム）の無線インターフェイスのプロトコルスタックを示す。
【００４５】
図２に示すように、無線インターフェイスプロトコルは、ＯＳＩ参照モデルのレイヤ１〜レイヤ３に区分されており、レイヤ１は物理（ＰＨＹ）レイヤである。レイヤ２は、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４６】
物理レイヤは、データ符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ（ｅＮＢ２００又はＨｅＮＢ４００）の物理レイヤとの間では、物理チャネルを介してデータが伝送される。物理レイヤは、トランスポートチャネルを介してＭＡＣレイヤと連結される。
【００４７】
ＭＡＣレイヤは、データの優先制御、及びハイブリッドＡＲＱ（ＨＡＲＱ）による再送処理などを行う。ＵＥ１００のＭＡＣレイヤとｅＮＢ（ｅＮＢ２００又はＨｅＮＢ４００）のＭＡＣレイヤとの間では、トランスポートチャネルを介してデータが伝送される。ｅＮＢ（ｅＮＢ２００又はＨｅＮＢ４００）のＭＡＣレイヤは、上下リンクのトランスポートフォーマット及びリソースブロックを決定するＭＡＣスケジューラを含む。トランスポートフォーマットは、トランスポートブロックサイズ、変調・符号化方式（ＭＣＳ）、及びアンテナマッピングを含む。
【００４８】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ（ｅＮＢ２００又はＨｅＮＢ４００）のＲＬＣレイヤとの間では、論理チャネルを介してデータが伝送される。
【００４９】
ＰＤＣＰレイヤは、ヘッダ圧縮・伸張、及び暗号化・復号化を行う。
【００５０】
ＲＲＣレイヤは、制御プレーンでのみ定義される。ＵＥ１００のＲＲＣレイヤとｅＮＢ（ｅＮＢ２００又はＨｅＮＢ４００）のＲＲＣレイヤとの間では、無線ベアラを介してデータが伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ（ｅＮＢ２００又はＨｅＮＢ４００）のＲＲＣとの間にＲＲＣ接続がある場合、ＵＥ１００は「ＲＲＣ接続状態」であり、そうでない場合、ＵＥ１００は「ＲＲＣアイドル状態」である。
【００５１】
ＲＲＣレイヤの上位に位置するＮＡＳ(Ｎｏｎ−Ａｃｃｅｓｓ  Ｓｔｒａｔｕｍ)レイヤは、ＵＥ１００及びＭＭＥ３００に設けられ、セッション管理及びモビリティ管理などを行う。
【００５２】
図３は、本実施形態に係る移動通信システム（ＬＴＥシステム）で使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）を採用する。
【００５３】
図３に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。
【００５４】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用されるデータ領域である。下りリンクにおいては、セル毎に異なる参照信号（ＲＳ）が送信される。
【００５５】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用されるデータ領域である。
【００５６】
（２）ブロック構成
以下において、ＵＥ１００、ｅＮＢ２００、ＭＭＥ３００、ＨｅＮＢ４００、及びＨｅＮＢ ＧＷ５００のそれぞれのブロック構成を説明する。
【００５７】
（２．１）ＵＥ
図４は、ＵＥ１００のブロック図である。図４に示すように、ＵＥ１００は、無線送受信部１１０と、記憶部１２０と、制御部１３０と、を含む。
【００５８】
無線送受信部１１０は、無線信号を送受信する。
【００５９】
記憶部１２０は、制御部１３０による制御に使用される各種情報を記憶する。制御部１３０は、ＵＥ１００の各種の機能を制御する。制御部１３０は、ＲＲＣ接続状態において、サービングセルとの無線通信を行うよう無線送受信部１１０を制御する。
【００６０】
記憶部１２０は、ホワイトリストを記憶する。ホワイトリストは、制御部１３０によって更新可能である。制御部１３０は、ＲＲＣ接続状態において、ＭＭＥ３００からのホワイトリスト更新メッセージに応じて、ホワイトリストを更新する。あるいは、制御部１３０は、アイドル状態において、手動で入力される情報に応じて、ホワイトリストを更新してもよい。
【００６１】
また、記憶部１２０は、自身がアクセス権を有するＣＳＧセルの位置に関する位置情報（フィンガープリント情報）を記憶する。
【００６２】
制御部１３０は、ｅＮＢ２００のセルにおいてＲＲＣ接続状態である際に、自身がアクセス権を有するＣＳＧセルの位置に関する位置情報（フィンガープリント情報）に基づいて、自身がアクセス権を有するＣＳＧセルの近傍に入ったことを検知すると、近接通知（Ｐｒｏｘｉｍｉｔｙ  Ｉｎｄｉｃａｔｉｏｎ）をｅＮＢ２００に送信するよう無線送受信部１１０を制御する。
【００６３】
当該近接通知に応じて、ＣＳＧセルに対する測定制御情報（Ｍｅａｓｕｒｅｍｅｎｔ  ｃｏｎｆｉｇｕｒａｔｉｏｎ）をｅＮＢ２００から無線送受信部１１０が受信すると、制御部１３０は、ＣＳＧセルの物理識別子（ＰＣＩ：Ｐｈｙｓｉｃａｌ  Ｃｅｌｌ  Ｉｄｅｎｔｉｆｉｅｒ）を含む測定報告をｅＮＢ２００に送信するよう無線送受信部１１０を制御する。
【００６４】
当該測定報告に応じて、報知情報（ＳＩ：Ｓｙｓｔｅｍ  Ｉｎｆｏｒｍａｔｉｏｎ）の取得を要求する要求情報（ＳＩ  request）をｅＮＢ２００から無線送受信部１１０が受信すると、制御部１３０は、ＣＳＧセルの報知情報を取得し、当該報知情報に基づく測定報告をｅＮＢ２００に送信するよう無線送受信部１１０を制御する。当該測定報告は、ＣＳＧセルの識別子（ＣＧＩ：Ｃｅｌｌ  Ｇｌｏｂａｌ  Ｉｄｅｎｔｉｆｉｅｒ）、トラッキングエリア識別子（ＴＡＩ：Ｔｒａｃｋｉｎｇ  Ａｒｅａ  Ｉｄｅｎｔｉｆｉｅｒ）、ＣＳＧ  ＩＤ、及び、ＣＳＧメンバーであるか否かを示すステータス情報（Ｍｅｍｂｅｒｓｈｉｐ  ｓｔａｔｕｓ）を含む。
【００６５】
なお、無線送受信部１１０は、複数のセル（サービングセル及び隣接セル）毎に参照信号（ＲＳ）を受信する。制御部１３０は、複数のセル毎に参照信号受信電力（ＲＳＲＰ）及び／又は参照信号受信品質（ＲＳＲＱ）を測定する。測定報告は、制御部１３０が複数のセル毎に測定した測定情報（ＲＳＲＰ／ＲＳＲＱ）を含む。詳細には、測定情報は、セルの識別子と、当該セルについて測定されたＲＳＲＰ／ＲＳＲＱと、を対応付けたものである。
【００６６】
ＣＳＧセルへのハンドオーバ指示（Ｈ．Ｏ．  Ｃｏｍｍａｎｄ）をｅＮＢ２００から無線送受信部１１０が受信すると、制御部１３０は、ｅＮＢ２００のセル（ソースセル）とのＲＲＣ接続を切断し、ＨｅＮＢ４００のＣＳＧセルとのＲＲＣ接続を確立する処理を開始する。
【００６７】
（２．２）ｅＮＢ
図５は、ｅＮＢ２００のブロック図である。図５に示すように、ｅＮＢ２００は、無線送受信部２１０と、ネットワーク通信部２２０と、記憶部２３０と、制御部２４０と、を含む。
【００６８】
無線送受信部２１０は、無線信号を送受信する。また、無線送受信部２１０は、１又は複数のセルを形成する。
【００６９】
ネットワーク通信部２２０は、Ｓ１インターフェイス上でＭＭＥ３００との通信を行う。ネットワーク通信部２２０は、Ｘ２インターフェイス上でＨｅＮＢ４００との基地局間通信を行う。
【００７０】
記憶部２３０は、制御部２４０による制御に使用される各種情報を記憶する。
【００７１】
制御部２４０は、ｅＮＢ２００の各種の機能を制御する。
【００７２】
配下のＵＥ１００からの近接通知（Ｐｒｏｘｉｍｉｔｙ  Ｉｎｄｉｃａｔｉｏｎ）を無線送受信部２１０が受信すると、制御部２４０は、ＣＳＧセルに対する測定を指示するための測定制御情報（Ｍｅａｓｕｒｅｍｅｎｔ  Ｃｏｎｆｉｇｕｒａｔｉｏｎ）をＵＥ１００に送信するよう無線送受信部２１０を制御する。
【００７３】
当該測定制御情報に応じて、ＣＳＧセルの物理識別子（ＰＣＩ：Ｐｈｙｓｉｃａｌ  Ｃｅｌｌ  Ｉｄｅｎｔｉｆｉｅｒ）を含む測定報告をＵＥ１００から無線送受信部２１０が受信すると、制御部２４０は、当該ＣＳＧセルの報知情報（ＳＩ：Ｓｙｓｔｅｍ  Ｉｎｆｏｒｍａｔｉｏｎ）の取得を要求する要求情報（ＳＩ  request）をＵＥ１００に送信するよう無線送受信部２１０を制御する。
【００７４】
当該要求情報に応じて、ＣＳＧセルの報知情報に基づく測定報告をＵＥ１００から無線送受信部２１０が受信すると、制御部２４０は、当該測定報告に基づいて、当該ＣＳＧセルへのＵＥ１００のハンドオーバを行うか否かを判断する。
【００７５】
ＣＳＧセルへのＵＥ１００のハンドオーバを行うと判断すると、制御部２４０は、ハンドオーバ要求（Ｈ．Ｏ．  Ｒｅｑｕｅｓｔ）をＸ２インターフェイス上でＨｅＮＢ４００に送信するようネットワーク通信部２２０を制御する。
【００７６】
その後、ハンドオーバ要求に対する肯定応答（Ｈ．Ｏ．  Ｒｅｑｕｅｓｔ  Ａｃｋ）がＨｅＮＢ４００から得られると、制御部２４０は、ＣＳＧセルへのハンドオーバの指示（Ｈ．Ｏ．  Ｃｏｍｍａｎｄ）をＵＥ１００に送信するよう無線送受信部２１０を制御する。
【００７７】
ＣＳＧセルへのハンドオーバの指示を送信した後、制御部２４０は、記憶部２３０のバッファ領域に残存するＵＥ１００への未送信データをＸ２インターフェイス上でＨｅＮＢ４００に転送（データフォワーディング）するようネットワーク通信部２２０を制御する。
【００７８】
制御部２４０は、当該データフォワーディングの際に、ＵＥ１００からの測定報告をＨｅＮＢ４００に転送してもよい。その際、制御部２４０は、ＵＥ１００からの測定報告に含まれる一部の測定情報を抽出して転送することで、データ転送量を削減できる。
【００７９】
以下において、ｅＮＢ２００からＨｅＮＢ４００に転送される測定報告（測定情報）を「転送測定報告」と称する。転送測定報告は、ＨｅＮＢ４００においてＣＳＧセルから他のセルへの再ハンドオーバ手順を行う際に使用される。制御部２４０は、状況に応じて、転送測定報告をＨｅＮＢ４００に送信するか否かを判定する。当該判定の詳細については後述する。
【００８０】
制御部２４０は、例えば以下のような方法で、ＵＥ１００からの測定報告に含まれる一部の測定情報を抽出する。
【００８１】
制御部２４０は、閾値よりも高い値の通信品質(ＲＳＲＰ／ＲＳＲＱ)を含む測定情報を抽出する。測定報告に含まれる測定情報の数が多い場合には、制御部２４０は、通信品質(ＲＳＲＰ／ＲＳＲＱ)が高い順にｎ個（例えば３個）の測定情報を抽出してもよい。また、制御部２４０は、再ハンドオーバ手順においてターゲットセルへのハンドオーバ成功率を高めるために、ＣＳＧセルの識別子を含む測定情報よりも、マクロセルの識別子を含む測定情報を優先的に抽出することが好ましい。
【００８２】
さらに、制御部２４０は、測定情報以外の付加情報を転送測定報告に含めてもよい。当該付加情報は、ＵＥ１００からの測定報告の受信時刻を示す情報である。測定報告の受信時刻を示す情報を転送測定報告に含めることで、ＨｅＮＢ４００は、転送測定報告の新しさ（すなわち、信頼性）を判断することできる。或いは、当該付加情報は、ＵＥ１００の移動速度を示す情報である。なお、ＵＥ１００の移動速度は、ＵＥ１００又はＥＰＣ２０から取得することができる。
【００８３】
（２．３）ＭＭＥ
図６は、ＭＭＥ３００のブロック図である。図６に示すように、ＭＭＥ３００は、ネットワーク通信部３１０と、記憶部３２０と、制御部３３０と、を含む。
【００８４】
ネットワーク通信部３１０は、Ｓ１インターフェイス上でｅＮＢ２００及びＨｅＮＢ ＧＷ５００との通信を行う。
【００８５】
記憶部３２０は、制御部３３０による制御に使用される各種情報を記憶する。記憶部３２０は、ＵＥ１００のアクセス権に関するＣＳＧ加入者情報（ＣＳＧ  Ｓｕｂｓｃｒｉｐｔｉｏｎ  Ｄａｔａ）を記憶する。ＣＳＧ加入者情報は、ＵＥ１００の識別子と、当該ＵＥ１００がアクセス権を有する各ＣＳＧセルのＣＳＧ  ＩＤとを対応付けたものである。
【００８６】
制御部３３０は、ＭＭＥ３００の各種の機能を制御する。
【００８７】
制御部３３０は、ＣＳＧ加入者情報の更新を行う場合に、該当するＵＥ１００に対して、当該ＵＥ１００のホワイトリストを更新するためのホワイトリスト更新メッセージを送信するようネットワーク通信部３１０を制御してもよい。
【００８８】
ｅＮＢ２００のセルからＨｅＮＢ４００のＣＳＧセルへのハンドオーバ手順において、ＨｅＮＢ４００からの経路切替要求（Ｐａｔｈ  Ｓｗｉｔｃｈ  Ｒｅｑｕｅｓｔ）をネットワーク通信部３１０が受信すると、制御部３３０は、当該経路切替要求に含まれるＣＳＧ  ＩＤ、セル・アクセスモード、及びＵＥ１００の識別子と、記憶部３２０に記憶されているＣＳＧ加入者情報とに基づいて、当該ＵＥ１００のＣＳＧ認証を行う。
【００８９】
なお、当該経路切替要求は、ＥＰＣ２０との間の通信経路（ｐａｔｈ）を、ｅＮＢ２００からＨｅＮＢ４００へ切り替えるよう要求するメッセージである。
【００９０】
ＣＳＧ認証要求に含まれるＣＳＧ  ＩＤ及びＵＥ１００の識別子がＣＳＧ加入者情報において対応付けられている場合、制御部３３０は、ＣＳＧ認証成功と判断し、経路切替要求に対する肯定応答（Ｐａｔｈ  Ｓｗｉｔｃｈ  Ｒｅｑｕｅｓｔ  Ａｃｋ）をＳ１インターフェイス上でＨｅＮＢ４００に送信するようネットワーク通信部３１０を制御する。
【００９１】
一方、ＣＳＧ認証要求に含まれるＣＳＧ  ＩＤ及びＵＥ１００の識別子がＣＳＧ加入者情報において対応付けられていない場合、制御部３３０は、ＣＳＧ認証失敗と判断し、経路切替要求に対する否定応答（Ｐａｔｈ  Ｓｗｉｔｃｈ  Ｒｅｑｕｅｓｔ  Ｆａｉｌｕｒｅ）をＳ１インターフェイス上でＨｅＮＢ４００に送信するようネットワーク通信部３１０を制御する。この場合、制御部３３０は、ＣＳＧ認証が失敗したことを示すＣＳＧ認証失敗情報（ＣＳＧ  Ｑｕｅｒｙ  Ｎａｃｋ）を当該否定応答に含める。
【００９２】
なお、現状の仕様においては、ＭＭＥ３００は、Ｐａｔｈ  Ｓｗｉｔｃｈ  Ｒｅｑｕｅｓｔ  Ｆａｉｌｕｒｅを送信したらＵＥ１００をデタッチ（Ｄｅｔａｃｈ）するよう規定されている。しかしながら、制御部３３０は、Ｐａｔｈ  Ｓｗｉｔｃｈ  Ｒｅｑｕｅｓｔ  Ｆａｉｌｕｒｅを送信した後、ＵＥ１００のデタッチの保留要求をＨｅＮＢ４００からネットワーク通信部３１０が受信したことに応じて、ＵＥ１００のデタッチを保留する。
【００９３】
（２．４）ＨｅＮＢ
図７は、ＨｅＮＢ４００のブロック図である。図７に示すように、ＨｅＮＢ４００は、無線送受信部４１０と、ネットワーク通信部４２０と、記憶部４３０と、制御部４４０と、を含む。
【００９４】
無線送受信部４１０は、無線信号を送受信する。本実施形態では、無線送受信部４１０は、ＣＳＧセルを形成する。ＣＳＧセル（無線送受信部４１０）は、報知情報をＢＣＣＨ（Ｂｒｏａｄｃａｓｔ  Ｃｏｎｔｒｏｌ  Ｃｈａｎｎｅｌ）上で送信する。当該報知情報は、ＣＧＩ、ＴＡＩ、及びＣＳＧ  ＩＤを含む。
【００９５】
ネットワーク通信部４２０は、Ｓ１インターフェイス上で、ＨｅＮＢ ＧＷ５００を介してＭＭＥ３００との通信を行う。ネットワーク通信部４２０は、Ｘ２インターフェイス上でｅＮＢ２００との基地局間通信を行う。
【００９６】
記憶部４３０は、制御部４４０による制御に使用される各種情報を記憶する。
【００９７】
制御部４４０は、ＨｅＮＢ４００の各種の機能を制御する。
【００９８】
ｅＮＢ２００からのハンドオーバ要求（Ｈ．Ｏ．  Ｒｅｑｕｅｓｔ）をネットワーク通信部４２０が受信すると、制御部４４０は、当該ハンドオーバ要求を許可するか否かを判断する。制御部４４０は、当該ハンドオーバ要求を許可すると判断すると、当該ハンドオーバ要求に対する肯定応答（Ｈ．Ｏ．  Ｒｅｑｕｅｓｔ  Ａｃｋ）をＸ２インターフェイス上でｅＮＢ２００に送信するようネットワーク通信部４２０を制御する。これに対し、制御部４４０は、当該ハンドオーバ要求を拒否すると判断すると、当該ハンドオーバ要求に対する否定応答（Ｈ．Ｏ．  Ｒｅｑｕｅｓｔ  Ｎａｃｋ）をＸ２インターフェイス上でｅＮＢ２００に送信するようネットワーク通信部４２０を制御する。
【００９９】
肯定応答（Ｈ．Ｏ．  Ｒｅｑｕｅｓｔ  Ａｃｋ）を送信した後、ｅＮＢ２００からＸ２インターフェイス上で転送（フォワーディング）されるデータをネットワーク通信部４２０が受信すると、当該データを記憶部４３０に記憶させる。当該データに転送測定報告が含まれていれば、制御部４４０は、当該転送測定報告を取得し、取得した転送測定報告を記憶部４３０に記憶させる。
【０１００】
また、肯定応答（Ｈ．Ｏ．  Ｒｅｑｕｅｓｔ  Ａｃｋ）を送信した後、ＵＥ１００からのアクセスを検出すると、制御部４４０は、ＵＥ１００とのＲＲＣ接続を確立するよう無線送受信部４１０を制御する。
【０１０１】
ＵＥ１００とのＲＲＣ接続を確立した後、制御部４４０は、経路切替要求（Ｐａｔｈ  Ｓｗｉｔｃｈ  Ｒｅｑｕｅｓｔ）をＳ１インターフェイス上でＭＭＥ３００に送信するようネットワーク通信部４２０を制御する。
【０１０２】
経路切替要求に対する肯定応答（Ｐａｔｈ  Ｓｗｉｔｃｈ  Ｒｅｑｕｅｓｔ  Ａｃｋ）をＭＭＥ３００からネットワーク通信部４２０が受信すると、制御部４４０は、記憶部４３０に記憶されているフォワーディングデータをＵＥ１００に送信した後、ＥＰＣ２０とＵＥ１００との間で送受信されるユーザデータを転送するよう無線送受信部４１０及びネットワーク通信部４２０を制御する。
【０１０３】
これに対し、経路切替要求に対する否定応答（Ｐａｔｈ  Ｓｗｉｔｃｈ  Ｒｅｑｕｅｓｔ  Ｆａｉｌｕｒｅ）をＭＭＥ３００からネットワーク通信部４２０が受信すると、制御部４４０は、当該否定応答にＣＳＧ認証失敗情報（ＣＳＧ  Ｑｕｅｒｙ  Ｎａｃｋ）が含まれているか否かを確認する。当該否定応答にＣＳＧ認証失敗情報（ＣＳＧ  Ｑｕｅｒｙ  Ｎａｃｋ）が含まれている場合、制御部４４０は、ＣＳＧセルから他のセルへのＵＥ１００の再ハンドオーバ手順を開始する。
【０１０４】
制御部４４０は、ＣＳＧ認証失敗情報（ＣＳＧ  Ｑｕｅｒｙ  Ｎａｃｋ）を受信した以降、再ハンドオーバ手順において他のセル（ターゲットセル）へのハンドオーバ指示をＵＥ１００に送信するまでは、ＵＥ１００とのＲＲＣ接続を維持するよう無線送受信部４１０を制御する。
【０１０５】
なお、現状の仕様においては、ＭＭＥ３００は、Ｐａｔｈ  Ｓｗｉｔｃｈ  Ｒｅｑｕｅｓｔ  Ｆａｉｌｕｒｅを送信したらＵＥ１００をデタッチするよう規定されているため、ＭＭＥ３００がＵＥ１００のデタッチを行うことを保留する必要がある。このため、制御部４４０は、ＣＳＧ  Ｑｕｅｒｙ  Ｎａｃｋを含むＰａｔｈ  Ｓｗｉｔｃｈ  Ｒｅｑｕｅｓｔ  Ｆａｉｌｕｒｅをネットワーク通信部４２０が受信すると、ＵＥ１００のデタッチの保留要求をＳ１インターフェイス上でＭＭＥ３００に送信するようネットワーク通信部４２０を制御する。
【０１０６】
再ハンドオーバ手順においては、当該他のセル（ターゲットセル）を決定するために、ＵＥ１００における測定により得られた測定報告（測定情報）が必要となる。測定報告を取得する方法としては、以下の３パターンがある。
【０１０７】
動作パターン１において、制御部４４０は、記憶部４３０に記憶されている転送測定報告（すなわち、フォワーディングされた転送測定報告）に基づいてターゲットセルを決定する。
【０１０８】
動作パターン２において、制御部４４０は、転送測定報告をｅＮＢ２００に要求するようネットワーク通信部４２０を制御して、ｅＮＢ２００から転送測定報告を取得する。
【０１０９】
動作パターン３において、制御部４４０は、測定報告をＵＥ１００に要求するよう無線送受信部４１０を制御して、ＵＥ１００から測定報告を取得する。
【０１１０】
制御部４４０は、状況に応じて、動作パターン１から３の何れを適用するかを判定する。当該判定の詳細については後述する。
【０１１１】
制御部４４０は、他のセル（ターゲットセル）を決定すると、当該他のセルを形成するｅＮＢに対してハンドオーバ要求を送信するようネットワーク通信部４２０を制御する。当該ｅＮＢからの肯定応答（Ｈ．Ｏ．  Ｒｅｑｕｅｓｔ  Ａｃｋ）が得られると、制御部４４０は、当該他のセルへのハンドオーバ指示をＵＥ１００に送信するよう無線送受信部４１０を制御する。
【０１１２】
（２．５）ＨｅＮＢ ＧＷ
図８は、ＨｅＮＢ ＧＷ５００のブロック図である。図８に示すように、ＨｅＮＢ ＧＷ５００は、ネットワーク通信部５１０と、記憶部５２０と、制御部５３０と、を含む。
【０１１３】
ネットワーク通信部５１０は、Ｓ１インターフェイス上でＭＭＥ３００及びＨｅＮＢ４００との通信を行う。
【０１１４】
記憶部５２０は、制御部５３０による制御に使用される各種情報を記憶する。記憶部５２０には、ＨｅＮＢ ＧＷ５００の管理下にあるＨｅＮＢ４００が登録されている。
【０１１５】
制御部５３０は、ＨｅＮＢ ＧＷ５００の各種の機能を制御する。制御部５３０は、複数のＨｅＮＢ４００の集合を管理する。制御部５３０は、複数のＨｅＮＢ４００を代表してＭＭＥ３００との通信を行うようネットワーク通信部５１０を制御する。
【０１１６】
（３）動作
以下において、移動通信システムの動作を説明する。
【０１１７】
（３．１）ＣＳＧセルへのハンドオーバが誤って成功するケース
本実施形態に係る動作パターン１から動作パターン３の説明の前に、比較例として、ＣＳＧセルへのハンドオーバが誤って成功するケース１から３を説明する。
【０１１８】
（３．１．１）ケース１
図９は、ＣＳＧセルへのハンドオーバが誤って成功するケース１のシーケンス図である。本シーケンスは、ｅＮＢ２００が、ＨｅＮＢ４００のＣＳＧセルへのＵＥ１００のハンドオーバを決定した後の動作を示している。
【０１１９】
図９に示すように、ステップＰ１において、ｅＮＢ２００は、ＵＥ１００がＨｅＮＢ４００のＣＳＧセルのメンバーであるか否かの問い合わせ（ＣＳＧ  Ｑｕｅｒｙ）をＳ１インターフェイス上でＭＭＥ３００に送信する。
【０１２０】
ステップＰ２において、ＭＭＥ３００は、ＵＥ１００がＨｅＮＢ４００のＣＳＧセルのメンバーであることを確認し、その旨（ＣＳＧ  Ｑｕｅｒｙ  Ａｃｋ）をＳ１インターフェイス上でｅＮＢ２００に送信する。
【０１２１】
その後、ステップＰ３において、ＭＭＥ３００は、ＣＳＧ加入者情報（ＣＳＧ  Ｓｕｂｓｃｒｉｐｔｉｏｎ  Ｄａｔａ）を更新する。当該更新により、ＵＥ１００がＨｅＮＢ４００のＣＳＧセルのメンバーではなくなったと仮定して説明を進める。
【０１２２】
ステップＰ４において、ｅＮＢ２００は、ＵＥ１００がＨｅＮＢ４００のＣＳＧセルのメンバーである旨（ＣＳＧ  Ｑｕｅｒｙ  Ａｃｋ）を受信したことに応じて、ＨｅＮＢ４００のＣＳＧセルへのＵＥ１００のハンドオーバを要求するためのハンドオーバ要求（Ｈ．Ｏ．  Ｒｅｑｕｅｓｔ）をＸ２インターフェイス上でＨｅＮＢ４００に送信する。ＨｅＮＢ４００は、ｅＮＢ２００からのハンドオーバ要求に応じて、ＵＥ１００の受け入れを許可するか否かを判断する。ここでは、ＵＥ１００の受け入れを許可したと仮定して説明を進める。
【０１２３】
ステップＰ５において、ＨｅＮＢ４００は、ｅＮＢ２００からのハンドオーバ要求に対する肯定応答（Ｈ．Ｏ．  Ｒｅｑｕｅｓｔ  Ａｃｋ）をＸ２インターフェイス上でｅＮＢ２００に送信する。
【０１２４】
ステップＰ６において、ｅＮＢ２００は、ＨｅＮＢ４００からの肯定応答（Ｈ．Ｏ．  Ｒｅｑｕｅｓｔ  Ａｃｋ）に応じて、ＨｅＮＢ４００のＣＳＧセルへのハンドオーバ指示（Ｈ．Ｏ．  Ｃｏｍｍａｎｄ）をＵＥ１００に送信する。
【０１２５】
ステップＰ７において、ＵＥ１００は、ｅＮＢ２００からのハンドオーバ指示に応じて、ｅＮＢ２００とのＲＲＣ接続を切断し、ＨｅＮＢ４００のＣＳＧセルとのＲＲＣ接続を確立するための処理を開始する。
【０１２６】
ステップＰ８において、ｅＮＢ２００は、ＵＥ１００への未送信データをＸ２インターフェイス上でＨｅＮＢ４００に転送（フォワーディング）する。
【０１２７】
ステップＰ９において、ＵＥ１００は、ＨｅＮＢ４００のＣＳＧセルとのＲＲＣ接続を確立する。詳細には、ステップＰ９−１において、ＵＥ１００は、ランダムアクセス手順により、ＨｅＮＢ４００のＣＳＧセルとの同期を確立する。ステップＰ９−２において、ＨｅＮＢ４００は、ＵＥ１００の送信タイミングを調整するためのタイミングアドバンス（ＴＡ）をＵＥ１００に通知する。ステップＰ９−３において、ＵＥ１００は、ＨｅＮＢ４００のＣＳＧセルとのＲＲＣ接続の確立が完了した旨をＨｅＮＢ４００に通知する。
【０１２８】
ステップＰ１０において、ＨｅＮＢ４００は、経路切替要求をＳ１インターフェイス上でＭＭＥ３００に送信する。経路切替要求は、ＣＳＧ  ＩＤ及びセル・アクセスモードを含む。
【０１２９】
ステップＰ１１において、ＭＭＥ３００は、ＨｅＮＢ４００からの経路切替要求に基づいて、ＵＥ１００のＣＳＧ認証を行う。上述したように、ステップＰ３においてＵＥ１００がＨｅＮＢ４００のＣＳＧセルのメンバーではなくなっているため、当該ＣＳＧ認証は失敗する。
【０１３０】
ステップＰ１２において、ＭＭＥ３００は、ＨｅＮＢ４００からの経路切替要求に対する否定応答（Ｐａｔｈ  Ｓｗｉｔｃｈ  Ｒｅｑｕｅｓｔ  Ｆａｉｌｕｒｅ）をＳ１インターフェイス上でＨｅＮＢ４００に送信する。当該否定応答は、ＣＳＧ認証失敗情報（ＣＳＧ  Ｑｕｅｒｙ  Ｎａｃｋ）を含む。
【０１３１】
ステップＰ１３において、ＨｅＮＢ４００は、ＭＭＥ３００からの否定応答（Ｐａｔｈ  Ｓｗｉｔｃｈ  Ｒｅｑｕｅｓｔ  Ｆａｉｌｕｒｅ）に応じて、ＵＥ１００とのＲＲＣ接続を切断する。その結果、ＵＥ１００はアイドル状態に遷移し、通信が中止される。
【０１３２】
（３．１．２）ケース２
図１０は、ＣＳＧセルへのハンドオーバが誤って成功するケース２のシーケンス図である。
【０１３３】
図１０に示すように、ケース２は、ハンドオーバ要求の前にＭＭＥ３００への問い合わせ（ＣＳＧ  Ｑｕｅｒｙ）を行わない点でケース１とは異なる。ＨｅＮＢ４００のセルがハイブリッドセル（ハイブリッドモード）であれば、当該セルへのＵＥ１００のハンドオーバを行っても通信は継続可能である。このため、ケース２では、取り敢えずハンドオーバを行い、経路切替要求（Ｐａｔｈ  Ｓｗｉｔｃｈ  Ｒｅｑｕｅｓｔ）を用いてＣＳＧ認証を行っている。
【０１３４】
しかしながら、ＨｅＮＢ４００のセルがＣＳＧセル（クローズドモード）である場合において、ＣＳＧ認証に失敗すれば、ケース１と同様に、ＵＥ１００とＨｅＮＢ４００との間のＲＲＣ接続が切断され、通信が中止される。
【０１３５】
（３．１．３）ケース３
図１１は、ＣＳＧセルへのハンドオーバが誤って成功するケース３のシーケンス図である。
【０１３６】
図１１に示すように、ケース３は、基本的にはハンドオーバ要求の前にＭＭＥ３００への問い合わせ（ＣＳＧ  Ｑｕｅｒｙ）を行い、例外的にＭＭＥ３００への問い合わせ（ＣＳＧ  Ｑｕｅｒｙ）を省略する点でケース１とは異なる。例えば、ＵＥ１００のホワイトリストが信頼できる場合に限り、ＣＳＧ認証を省略してハンドオーバ要求を行うといった運用を想定している。
【０１３７】
しかしながら、経路切替要求（Ｐａｔｈ  Ｓｗｉｔｃｈ  Ｒｅｑｕｅｓｔ）を用いたＣＳＧ認証が失敗すれば、ケース１及び２と同様に、ＵＥ１００とＨｅＮＢ４００との間のＲＲＣ接続が切断され、通信が中止される。
【０１３８】
（３．２）実施形態に係る動作パターン
次に、本実施形態に係る動作パターン１から動作パターン３を説明する。
【０１３９】
本実施形態に係る動作パターン１から動作パターン３は、ＨｅＮＢ４００が、ＭＭＥ３００からのＣＳＧ認証失敗情報（ＣＳＧ  Ｑｕｅｒｙ  Ｎａｃｋ）の受信に応じて、ＵＥ１００とのＲＲＣ接続を維持しつつ、ＣＳＧセルから他のセルへのＵＥ１００の再ハンドオーバ手順を開始する点で共通している。
【０１４０】
ただし、本実施形態に係る動作パターン１から動作パターン３は、再ハンドオーバ手順におけるターゲットセルを決定するための測定報告を取得する方法が異なる。
【０１４１】
（３．２．１）動作パターン１
図１２は、本実施形態に係る動作パターン１のシーケンス図である。本シーケンスは、ｅＮＢ２００が、ハンドオーバ要求をＨｅＮＢ４００に送信し、ＨｅＮＢ４００が当該ハンドオーバ要求を許可すると判断した後の動作を示している。また、本シーケンスの初期状態において、ＵＥ１００のホワイトリストとＭＭＥ３００のＣＳＧ加入者情報とに同期ずれが発生中（ステップＳ１）であると仮定している。
【０１４２】
図１２に示すように、ステップＳ２において、ＨｅＮＢ４００は、ｅＮＢ２００からのハンドオーバ要求に対する肯定応答（Ｈ．Ｏ．  Ｒｅｑｕｅｓｔ  Ａｃｋ）をＸ２インターフェイス上でｅＮＢ２００に送信する。
【０１４３】
ステップＳ３において、ｅＮＢ２００は、ＨｅＮＢ４００からの肯定応答（Ｈ．Ｏ．  Ｒｅｑｕｅｓｔ  Ａｃｋ）に応じて、ＨｅＮＢ４００のＣＳＧセルへのハンドオーバ指示（Ｈ．Ｏ．  Ｃｏｍｍａｎｄ）をＵＥ１００に送信する。
【０１４４】
ステップＳ４において、ＵＥ１００は、ｅＮＢ２００からのハンドオーバ指示に応じて、ｅＮＢ２００とのＲＲＣ接続を切断し、ＨｅＮＢ４００のＣＳＧセルとのＲＲＣ接続を確立するための処理を開始する。
【０１４５】
ステップＳ５において、ｅＮＢ２００は、ＵＥ１００からの測定報告をＨｅＮＢ４００に転送するか否かを判定する。ここでは、ＵＥ１００からの測定報告をＨｅＮＢ４００に転送すると判定されたと仮定して説明を進める。なお、当該判定処理（ステップＳ５）の詳細については後述する。
【０１４６】
ステップＳ６において、ｅＮＢ２００は、ＵＥ１００への未送信データをＸ２インターフェイス上でＨｅＮＢ４００に転送（フォワーディング）する。また、ｅＮＢ２００は、フォワーディングの際に、測定報告（転送測定報告）をＸ２インターフェイス上でＨｅＮＢ４００に送信する。なお、当該測定報告（転送測定報告）は、ＵＥ１００が少なくとも１つのセルについて測定した受信信号状態（ＲＳＲＰ及び／又はＲＳＲＱ）と、当該セルの識別子と、を含む。
【０１４７】
ステップＳ７において、ＵＥ１００は、ＨｅＮＢ４００のＣＳＧセルとのＲＲＣ接続を確立する。
【０１４８】
ステップＳ８において、ＨｅＮＢ４００は、経路切替要求をＳ１インターフェイス上でＭＭＥ３００に送信する。経路切替要求は、ＣＳＧ  ＩＤ及びセル・アクセスモードを含む。
【０１４９】
ステップＳ９において、ＭＭＥ３００は、ＨｅＮＢ４００からの経路切替要求に基づいて、ＵＥ１００のＣＳＧ認証を行う。ＵＥ１００はＨｅＮＢ４００のＣＳＧセルのメンバーではないと判断され、当該ＣＳＧ認証は失敗する。
【０１５０】
ステップＳ１０において、ＭＭＥ３００は、ＨｅＮＢ４００からの経路切替要求に対する否定応答（Ｐａｔｈ  Ｓｗｉｔｃｈ  Ｒｅｑｕｅｓｔ  Ｆａｉｌｕｒｅ）をＳ１インターフェイス上でＨｅＮＢ４００に送信する。当該否定応答は、ＣＳＧ認証失敗情報（ＣＳＧ  Ｑｕｅｒｙ  Ｎａｃｋ）を含む。
【０１５１】
ステップＳ１０−１において、ＨｅＮＢ４００は、ＣＳＧ  Ｑｕｅｒｙ  Ｎａｃｋを含むＰａｔｈ  Ｓｗｉｔｃｈ  Ｒｅｑｕｅｓｔ  Ｆａｉｌｕｒｅを受信したことに応じて、ＵＥ１００のデタッチの保留要求をＳ１インターフェイス上でＭＭＥ３００に送信する。ＭＭＥ３００は、当該保留要求の受信に応じて、ＵＥ１００のデタッチを保留する。
【０１５２】
ステップＳ１１において、ＨｅＮＢ４００は、ＭＭＥ３００からのＣＳＧ認証失敗情報（ＣＳＧ  Ｑｕｅｒｙ  Ｎａｃｋ）の受信に応じて、他のセルへのＵＥ１００のハンドオーバ手順を開始する。ＨｅＮＢ４００は、ＵＥ１００からの測定報告の取得法を判定する。なお、当該判定処理（ステップＳ１１）の詳細については後述する。ここでは、ハンドオーバ手順におけるフォワーディング（ステップＳ６）で得られた転送測定報告を取得すると仮定して説明を進める。
【０１５３】
ステップＳ１２において、フォワーディング（ステップＳ６）で得られた転送測定報告に基づいて、再ハンドオーバ手順におけるターゲットセルを決定する。ここでは、ｅＮＢ２００のセル以外のセルがターゲットセルとして決定されたと仮定して説明を進める。なお、当該決定処理（ステップＳ１２）の詳細については後述する。
【０１５４】
ステップＳ１３において、ＨｅＮＢ４００は、ステップＳ１２で決定されたターゲットセル（ターゲットｅＮＢ）に対してハンドオーバ要求を送信する。また、ステップＳ１４において、ＨｅＮＢ４００は、ＵＥ１００についてのリソース解放（ＵＥコンテキスト解放）をｅＮＢ２００に通知する。その後、通常のハンドオーバ手順（再ハンドオーバ手順）が実施される。
【０１５５】
（３．２．２）動作パターン２
図１３は、本実施形態に係る動作パターン２のシーケンス図である。ここでは、動作パターン１との相違点を説明する。
【０１５６】
図１３に示すように、動作パターン２は、フォワーディング（ステップＳ６）においてＨｅＮＢ４００に対して測定報告（転送測定報告）を送信していない点で動作パターン１とは異なる。
【０１５７】
また、ＨｅＮＢ４００は、ＭＭＥ３００からのＣＳＧ認証失敗情報（ＣＳＧ  Ｑｕｅｒｙ  Ｎａｃｋ）を受信（ステップＳ１０）した後、ターゲットセルを決定（ステップＳ１２）する前において、転送測定報告の送信をＸ２インターフェイス上でｅＮＢ２００に要求（ステップＳ１０１）する点で、動作パターン１とは異なる。ｅＮＢ２００は、ＨｅＮＢ４００からの要求に応じて、転送測定報告をＸ２インターフェイス上でＨｅＮＢ４００に送信（ステップＳ１０２）する。
【０１５８】
（３．２．３）動作パターン３
図１４は、本実施形態に係る動作パターン３のシーケンス図である。ここでは、動作パターン１及び２との相違点を説明する。
【０１５９】
図１４に示すように、動作パターン３では、ＨｅＮＢ４００は、転送測定報告をｅＮＢ２００から取得するのではなく、ＵＥ１００から取得する点で動作パターン１及び２とは異なる。
【０１６０】
詳細には、ＨｅＮＢ４００は、ＭＭＥ３００からのＣＳＧ認証失敗情報（ＣＳＧ  Ｑｕｅｒｙ  Ｎａｃｋ）を受信（ステップＳ１０）した後、ターゲットセルを決定（ステップＳ１２）する前において、測定報告の送信要求（Ｍｅａｓｕｒｅｍｅｎｔ  Ｃｏｎｆｉｇｕｒａｔｉｏｎ）をＵＥ１００に送信（ステップＳ２０１）する。ＵＥ１００は、ＨｅＮＢ４００からの要求に応じて、測定報告をＨｅＮＢ４００に送信（ステップＳ２０２）する。
【０１６１】
（３．３）実施形態に係る処理フロー
次に、本実施形態に係る動作パターン１から動作パターン３における処理の具体例を説明する。
【０１６２】
（３．３．１）測定報告の転送判定処理フロー
図１５は、測定報告の転送判定処理、すなわち、上述したステップＳ５（図１２から図１４参照）の詳細処理を示すフロー図である。
【０１６３】
図１５に示すように、ステップＳ５１において、ｅＮＢ２００は、ＨｅＮＢ４００からのハンドオーバ応答（Ｈ．Ｏ．  Ｒｅｑｕｅｓｔ  Ａｃｋ）を受信する。
【０１６４】
ステップＳ５２において、ｅＮＢ２００は、ＵＥ１００からの測定報告（Ｍｅａｓｕｒｅｍｅｎｔ  Ｒｅｐｏｒｔ）に基づいて、ターゲットセル（ＨｅＮＢ４００のセル）がＣＳＧ  ＩＤを持つか否かを確認する。ターゲットセルがＣＳＧ  ＩＤを持たない場合（ステップＳ５２；Ｙｅｓ）、ｅＮＢ２００は、測定報告を転送しないと判断する（ステップＳ５３）。
【０１６５】
ターゲットセルがＣＳＧ  ＩＤを持つ場合（ステップＳ５２；Ｎｏ）、ステップＳ５４において、ｅＮＢ２００は、ＵＥ１００からの測定報告（Ｍｅａｓｕｒｅｍｅｎｔ  Ｒｅｐｏｒｔ）に基づいて、ターゲットセルのＣＳＧ  ＩｎｄｉｃａｔｉｏｎがＦａｌｓｅであるか否かを確認する。ターゲットセルのＣＳＧ  ＩｎｄｉｃａｔｉｏｎがＦａｌｓｅである場合（ステップＳ５４；Ｙｅｓ）、ｅＮＢ２００は、測定報告を転送しないと判断する（ステップＳ５３）。なお、ＣＳＧ  ＩＤを持ち、ＣＳＧ  ＩｎｄｉｃａｔｉｏｎがＦａｌｓｅであるセルは、ハイブリッドセルに相当する。
【０１６６】
ターゲットセルのＣＳＧ  ＩｎｄｉｃａｔｉｏｎがＴｒｕｅである場合（ステップＳ５４；Ｎｏ）、すなわち、ターゲットセルがＣＳＧセル（クローズドモード）である場合、ステップＳ５５において、ｅＮＢ２００は、ＭＭＥ３００からの認証成功情報（ＣＳＧ  Ｑｕｅｒｙ  Ａｃｋ）が得られているか否かを確認する。ＭＭＥ３００からの認証成功情報が得られている場合（ステップＳ５５；Ｙｅｓ）、ｅＮＢ２００は、測定報告を転送しないと判断する（ステップＳ５３）。
【０１６７】
ＭＭＥ３００からの認証成功情報が得られていない場合（ステップＳ５５；Ｎｏ）、ステップＳ５６において、ｅＮＢ２００は、事前認証を実施済みであるか否かを確認する。事前認証には、ホワイトリストを用いた認証や、ＭＭＥ３００からコピーしたＣＳＧ加入者情報（ＣＳＧ  Ｓｕｂｓｃｒｉｐｔｉｏｎ  Ｄａｔａ）を用いた認証、予めターゲットセルを認証しておく方法などがある。事前認証を実施済みである場合（ステップＳ５６；Ｙｅｓ）、ｅＮＢ２００は、測定報告を転送しないと判断する（ステップＳ５３）。
【０１６８】
事前認証を実施済みでない場合（ステップＳ５６；Ｎｏ）、ステップＳ５７において、ｅＮＢ２００は、ＵＥ１００の移動速度が閾値を超えるか否かを確認する。ＵＥ１００の移動速度が閾値を超える場合（ステップＳ５７；Ｙｅｓ）、ｅＮＢ２００は、測定報告を転送しないと判断する（ステップＳ５３）。
【０１６９】
ＵＥ１００の移動速度が閾値以下である場合（ステップＳ５７；Ｎｏ）、ｅＮＢ２００は、測定報告を転送すると判断する（ステップＳ５８）。
【０１７０】
なお、本フローにおけるステップＳ５２、ステップＳ５４、ステップＳ５５、ステップＳ５６、ステップＳ５７の各判定ステップは、全てのステップを行う場合に限らず、一部のステップのみを行うとしてもよい。
【０１７１】
（３．３．２）測定報告の取得法判定処理フロー
図１６は、測定報告の取得法判定処理、すなわち、上述したステップＳ１１（図１２から図１４参照）の詳細処理を示すフロー図である。
【０１７２】
図１６に示すように、ステップＳ１１１において、ＨｅＮＢ４００は、ＭＭＥ３００からの認証失敗情報（ＣＳＧ  Ｑｕｅｒｙ  Ｎａｃｋ）を受信する。
【０１７３】
ステップＳ１１２において、ＨｅＮＢ４００は、ｅＮＢ２００からの転送測定報告を受信しているか否かを確認する。ｅＮＢ２００からの転送測定報告を受信している場合（ステップＳ１１２；Ｙｅｓ）、ＨｅＮＢ４００は、当該受信した転送測定報告を使用すると判断する（ステップＳ１１３）。
【０１７４】
ｅＮＢ２００からの転送測定報告を受信していない場合（ステップＳ１１２；Ｎｏ）、ステップＳ１１４において、ＨｅＮＢ４００は、ＵＥ１００の移動速度が閾値を超えるか否かを確認する。ＵＥ１００の移動速度が閾値を超える場合（ステップＳ１１４；Ｙｅｓ）、ｅＮＢ２００は、測定報告の転送をｅＮＢ２００に要求すると判断する（ステップＳ１１５）。
【０１７５】
ＵＥ１００の移動速度が閾値以下である場合（ステップＳ１１４；Ｎｏ）、ｅＮＢ２００は、測定報告の送信をＵＥ１００に要求すると判断する（ステップＳ１１６）。
【０１７６】
なお、移動速度に基づく判断（ステップＳ１１４）に加えて、ＵＥ１００との通信のＱｏＳも考慮し、当該ＱｏＳが高ければ測定報告の送信をＵＥ１００に要求すると判断してもよい。また、転送測定報告の経過時間も考慮し、当該経過時間が長ければ測定報告の送信をＵＥ１００に要求すると判断してもよい。
【０１７７】
（３．３．３）ターゲットセルの決定処理フロー
図１７は、ターゲットセルの決定処理、すなわち、上述したステップＳ１２（図１２から図１４参照）の詳細処理を示すフロー図である。なお、動作パターン３においては、通常の方法でターゲットセルを決定可能であるため、ここでは動作パターン１及び２におけるターゲットセルの決定処理を説明する。
【０１７８】
ステップＳ１２１において、ＨｅＮＢ４００は、転送測定報告に含まれる測定情報のうち、通信品質（ＲＳＲＰ／ＲＳＲＱ）が２番目に高い測定情報に対応するセル（ｅＮＢ）を選択する。なお、転送測定報告においては、ＨｅＮＢ４００のセルが最も通信品質（ＲＳＲＰ／ＲＳＲＱ）が高いと考えられることから、「２番目に高い」としている。
【０１７９】
ステップＳ１２２において、ＨｅＮＢ４００は、ステップＳ１２１で選択したセルがＣＳＧ  ＩＤを持つか否かを確認する。ステップＳ１２１で選択したセルがＣＳＧ  ＩＤを持たない場合（ステップＳ１２２；Ｙｅｓ）、ＨｅＮＢ４００は、当該セルをターゲットセルとして選択する（ステップＳ１２３）。
【０１８０】
ステップＳ１２１で選択したセルがＣＳＧ  ＩＤを持つ場合（ステップＳ１２２；Ｎｏ）、ステップＳ１２４において、ＨｅＮＢ４００は、転送測定報告に基づいて、当該セルのＣＳＧ  ＩｎｄｉｃａｔｉｏｎがＦａｌｓｅであるか否かを確認する。当該セルのＣＳＧ  ＩｎｄｉｃａｔｉｏｎがＦａｌｓｅである場合（ステップＳ１２４；Ｙｅｓ）、ＨｅＮＢ４００は、当該セルをターゲットセルとして選択する（ステップＳ１２３）。なお、ＣＳＧ  ＩＤを持ち、ＣＳＧ  ＩｎｄｉｃａｔｉｏｎがＦａｌｓｅであるセルは、ハイブリッドセルに相当する。
【０１８１】
当該セルのＣＳＧ  ＩｎｄｉｃａｔｉｏｎがＴｒｕｅである場合（ステップＳ１２４；Ｎｏ）、すなわち、当該セルがＣＳＧセル（クローズドモード）である場合、ステップＳ１２５において、ＨｅＮＢ４００は、転送測定報告において含まれる通信品質（ＲＳＲＰ／ＲＳＲＱ）が３番目以降である測定情報のうち、ＣＳＧ  ＩＤを持たないセルに対応する測定情報を抽出し、その中で最も高い通信品質（ＲＳＲＰ／ＲＳＲＱ）を特定する。そして、ＨｅＮＢ４００は、２番目に高い通信品質（ＲＳＲＰ／ＲＳＲＱ）と当該特定した通信品質（ＲＳＲＰ／ＲＳＲＱ）との差分が閾値を超えるか否かを確認する。
【０１８２】
当該差分が閾値を超える場合、ＨｅＮＢ４００は、ステップＳ１２１で選択したセル（通信品質（ＲＳＲＰ／ＲＳＲＱ）が２番目に高い測定情報に対応するセル）をターゲットセルとして選択する（ステップＳ１２３）。
【０１８３】
これに対し、当該差分が閾値以下である場合、ＨｅＮＢ４００は、当該特定した通信品質（ＲＳＲＰ／ＲＳＲＱ）に対応するセル（すなわち、比較に利用したセル）をターゲットセルとして選択する（ステップＳ１２６）。
【０１８４】
なお、本フロー以外にも、次のようにしてターゲットセルを決定してもよい。例えば、ｅＮＢ２００（ソースセル）は、ＵＥ１００の設定情報（コンテキスト）を保持しているため、ソースセルを優先的にターゲットセルとしてもよい。或いは、マクロセルを優先的にターゲットセルとしてもよい。
【０１８５】
（４）実施形態のまとめ
以上説明したように、ＭＭＥ３００は、ハンドオーバ手順においてＵＥ１００がＣＳＧセルとのＲＲＣ接続を確立した後、ＣＳＧ認証が失敗した場合に、ＣＳＧ認証が失敗したことを示すＣＳＧ認証失敗情報（ＣＳＧ  Ｑｕｅｒｙ  Ｎａｃｋ）をＨｅＮＢ４００に送信する。ＨｅＮＢ４００は、ＭＭＥ３００からのＣＳＧ認証失敗情報の受信に応じて、ＵＥ１００とのＲＲＣ接続を維持しつつ、ＣＳＧセルから他のセルへのＵＥ１００の再ハンドオーバ手順を開始する。
【０１８６】
これにより、ＵＥ１００がハンドオーバ手順においてアクセス権のないＣＳＧセルとのＲＲＣ接続を確立した場合であっても、当該ＲＲＣ接続を維持しつつ、当該特定セルから他のセルへのＵＥ１００の再ハンドオーバ手順を開始することによって、ＵＥ１００において通信断が生じることを防止できる。
【０１８７】
本実施形態の動作パターン１及び２では、ｅＮＢ２００は、ＵＥ１００からの測定報告の少なくとも一部をＨｅＮＢ４００に転送する。ＨｅＮＢ４００は、ｅＮＢ２００からの転送測定報告に基づいて、再ハンドオーバ手順におけるターゲットセルを決定する。
【０１８８】
これにより、再ハンドオーバ手順におけるターゲットセルを速やかに決定することができる。
【０１８９】
本実施形態の動作パターン３では、ＨｅＮＢ４００は、ＵＥ１００からの測定報告に基づいて、再ハンドオーバ手順におけるターゲットセルを決定する。
【０１９０】
このように、転送測定報告の信頼性が低い場合（ＵＥ１００が高速に移動する場合や、転送測定報告の経過時間が長い場合など）には、転送測定報告に代えてＵＥ１００からの測定報告を使用することで、ターゲットセルを適切に決定することができる。
【０１９１】
［その他の実施形態］
上記のように、本発明は実施形態及び変更例によって記載したが、この開示の一部をなす論述及び図面はこの発明を限定するものであると理解すべきではない。
【０１９２】
例えば、上述した動作パターン１から３は、相互に組み合わせて実施してもよい。
【０１９３】
上述した動作パターン１においては、ハンドオーバ手順におけるデータフォワーディングの際に測定報告をｅＮＢ２００からＨｅＮＢ４００に転送する一例を説明した。しかしながら、データフォワーディングの際に限らず、ハンドオーバ要求（Ｈ．Ｏ．  Ｒｅｑｕｅｓｔ）の際に測定報告をｅＮＢ２００からＨｅＮＢ４００に転送してもよい。
【０１９４】
なお、米国仮出願第６１／６１２０５５号（２０１２年３月１６日出願）の全内容が、参照により、本願明細書に組み込まれている。
【産業上の利用可能性】
【０１９５】
以上のように、本発明に係る通信制御方法、移動管理装置、ホーム基地局、及び基地局は、ユーザ端末がアクセス権のない特定セルへ誤ってハンドオーバするケースに適切に対処できるため、移動通信分野において有用である。
【図１】
0005851586.tif 000002
【図２】
0005851586.tif 000003
【図３】
0005851586.tif 000004
【図４】
0005851586.tif 000005
【図５】
0005851586.tif 000006
【図６】
0005851586.tif 000007
【図７】
0005851586.tif 000008
【図８】
0005851586.tif 000009
【図９】
0005851586.tif 000010
【図１０】
0005851586.tif 000011
【図１１】
0005851586.tif 000012
【図１２】
0005851586.tif 000013
【図１３】
0005851586.tif 000014
【図１４】
0005851586.tif 000015
【図１５】
0005851586.tif 000016
【図１６】
0005851586.tif 000017
【図１７】
0005851586.tif 000018